(57)【要約】【課題】住宅で日常使用している空気調和機を利用することにより安価な防犯装置とし、侵入者に居住者が住宅内にいると思わせることによって、住宅内に侵入することを思いとどまらせることができるようにすること。【解決手段】人体検知用センサ８を用いて人が部屋に在室しているかどうかを検知する人体検知制御手段３と、室内機から室外機の送風ファンの運転を制御することが可能な室外ファン運転制御手段４と、室外機の送風ファン５からなり、人体検知制御手段３により居住者が部屋に不在と判定された場合、空気調和機の運転が停止中であっても、室外ファン運転制御手段４により、室外機の送風ファン５だけを連続運転させるようにしたことにより、侵入者に居住者が住宅内にいると思わせ、侵入を思いとどまらせることができる。【選択図】図１
2007218450.tif 000002
【特許請求の範囲】
【請求項１】
人体検知用センサを用いて人が部屋に在室しているかどうかを検知する人体検知制御手段と、室内機から室外機の送風ファンの運転を制御することが可能な室外ファン運転制御手段を備えた分離型空気調和機において、空気調和機の運転が停止中に前記人体検知制御手段により部屋に人がいないと判定された場合、空気調和機の運転が停止中であっても、前記室外ファン運転制御手段により、室外機の送風ファンだけを連続運転させるようにしたことを特徴とする空気調和機の制御装置。
【請求項２】
空気調和機の停止中に部屋に人がいないと判定された場合、空気調和機の運転が停止中であっても、室外機の送風ファンだけを断続運転させるようにしたことを特徴とした請求項１に記載の空気調和機の制御装置。
【請求項３】
空気調和機の停止中に部屋に人がいないと判定された状態が一定時間連続した場合に、室外機の送風ファンだけを運転させるようにしたことを特徴とした請求項１〜２のいずれか１項に記載の空気調和機の制御装置。
【請求項４】
空気調和機の運転中は、人体検知制御手段による人の在、不在判定結果に基づき、空気調和機の設定温度を変更するようにしたことを特徴とした請求項１〜３のいずれか１項に記載の空気調和機の制御装置。
【請求項５】
室外ファン運転制御手段は、空気調和機の運転、停止や設定温度などの操作を行うためのリモコンにより、空気調和機が停止中の室外ファン制御を行うかどうかを選択できるようにしたことを特徴とした請求項１〜４のいずれか１項に記載の空気調和機の制御装置。
【請求項６】
室外ファン運転制御手段は、空気調和機の運転、停止の操作を行うために室内機に設けられた本体運転スイッチにより、空気調和機が停止中の室外ファン制御を行うかどうかを選択できるようにしたことを特徴とした請求項１〜５のいずれか１項に記載の空気調和機の制御装置。
【発明の詳細な説明】
【技術分野】
【０００１】
本発明は、空気調和機に具備した制御装置に関するものであり、特に居住者が外出中の防犯を目的とした制御に関するものである。
【背景技術】
【０００２】
従来、住宅の防犯装置として、住宅内や住宅の周囲に人体検知センサを設けて、人体検知センサが作動した場合には、その検知信号を室内照明灯や音響機器に送信し、室内の照明灯を点灯させたり、室内の音響機器で音響を発生させたりして、侵入者が住宅内に侵入することを防止するようなシステムがある（例えば、特許文献１参照）。
【特許文献１】特開２００４−３５５３９０号公報
【発明の開示】
【発明が解決しようとする課題】
【０００３】
しかしながら、特許文献１に記載の防犯装置の構成では、住宅の周囲に人体検知センサを新たに設置する必要があり、また、室内の照明灯や音響機器にセンサの検知信号を送信するための送信手段が必要であるため、人体検知センサや送信手段の費用や設置工事の費用がかさむという課題を有していた。
【０００４】
本発明は、前記従来の課題を解決するもので、住宅で日常使用している空気調和機を利用することにより安価な防犯装置とし、侵入者に居住者が住宅内にいると思わせることによって、住宅内に侵入することを思いとどまらせるようにした、空気調和機の制御装置を提供することを目的とする。
【課題を解決するための手段】
【０００５】
前記従来の課題を解決するために、本発明の空気調和機の制御装置は、空気調和機に搭載された人体検知制御手段により部屋に人がいないと判定された場合、空気調和機の運転が停止中であっても、室外ファン運転制御手段により、室外機の送風ファンだけを連続運転させるようにしたものである。
【０００６】
これによって、侵入者に居住者が住宅内にいると思わせることができるようになる。
【発明の効果】
【０００７】
本発明の空気調和機の制御装置は、空気調和機に搭載された人体検知制御手段により部屋に人がいないと判定された場合、空気調和機の運転が停止中であっても、室外ファン運転制御手段により、室外機の送風ファンだけを連続運転させることで、侵入者に居住者が住宅内にいると思わせることができ、住宅内に侵入することを思いとどまらせることができる。
【０００８】
また、人体検知制御手段を用いて人の在、不在を自動的に検知することができるため、外出中であることを手動で設定する煩わしさがなくなる。
【０００９】
さらに、日常使用している空気調和機が利用できるので、新たに人体検知センサを設置したり、防犯専用の装置を設置する必要がないため、設置コストも安くできる。また、室外機の送風ファンだけを運転するので、ランニングコストも安くできる。
【発明を実施するための最良の形態】
【００１０】
第１の発明は、人体検知用センサを用いて人が部屋に在室しているかどうかを検知する
人体検知制御手段と、室内機から室外機の送風ファンの運転を制御することが可能な室外ファン運転制御手段を備えた分離型空気調和機において、空気調和機の運転が停止中に人体検知制御手段により部屋に人がいないと判定された場合、空気調和機の運転が停止中であっても、室外ファン運転制御手段により、室外機の送風ファンだけを連続運転させるようにしたことにより、侵入者に居住者が住宅内にいると思わせることができ、住宅内に侵入することを思いとどまらせることができる。
【００１１】
第２の発明は、空気調和機の停止中に部屋に人がいないと判定された場合、空気調和機の運転が停止中であっても、室外機の送風ファンだけを断続運転させるようにしたことにより、消費電力をおさえつつ侵入者に居住者が住宅内にいると思わせることができ、住宅内に侵入することを思いとどまらせることができる。
【００１２】
第３の発明は、空気調和機の停止中に部屋に人がいないと判定された状態が一定時間連続した場合に、室外機の送風ファンだけを運転させるようにしたことにより、人の在、不在の誤判定による誤動作を防止することができる。
【００１３】
第４の発明は、空気調和機の運転中は、人体検知制御手段による人の在、不在判定結果に基づき、空気調和機の設定温度を変更するようにしたことにより、空気調和機の運転中にも人体検知制御手段を利用して、人が不在時の無駄な運転を防止することができる。
【００１４】
第５の発明は、特に、第１〜第４の発明の室外ファン運転制御手段は、空気調和機の運転／停止や設定温度などの操作を行うためのリモコンにより、空気調和機が停止中の室外ファン制御を行うかどうかを選択できるようにしたことにより、空気調和機が停止中の室外ファン制御が不要な場合に、その機能を解除する操作を容易に行うことができ、使い勝手をよくすることができる。
【００１５】
第６の発明は、特に、第１〜第５の発明の室外ファン運転制御手段は、空気調和機の運転／停止の操作を行うために室内機に設けられた本体運転スイッチにより、空気調和機が停止中の室外ファン制御を行うかどうかを選択できるようにしたことにより、空気調和機が停止中の室外ファン制御の有無を設定するための専用の操作スイッチなどを設ける必要がなくなる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の室内／室外機の制御装置の構成図を示すものである。図１において、室内機は、人体検知用センサ８を用いて人が部屋に在室しているかどうかを検知する人体検知制御手段３と室内機から室外機の送風ファン５の運転を制御することが可能な室外ファン運転制御手段４を備えた室内機制御装置１、及び空気調和機の運転／停止の操作を行うために室内機に設けられた本体運転スイッチ７を備えた構成をしている。ここで人体検知用センサ８及び人体検知制御手段３は、部屋に人がいるかどうかが検知できるものであれば、その種類や方式については特に問わない。
【００１８】
また室外機は、室外機の各種制御を行う室外機制御装置２と、室外機の送風ファン５を備えた構成をしている。以上のように構成された空気調和機の制御装置について、以下その動作、作用を説明する。
【００１９】
図２は、本発明の第１の実施の形態における動作を示すフローチャートである。まず、人体検知用センサ８を用いて人体検知制御手段３により居住者が部屋に在室しているかど
うかを検知する（ステップＳＴ１）。検知された状態を室内機制御装置１が判断し（ステップＳＴ２）、居住者が部屋に在室中であると判断された場合は、通常の空気調和機の動作を行う（ステップＳＴ３）。
【００２０】
居住者が部屋に不在であると判断された場合は、室内機制御装置１は空気調和機が運転中であるか停止中であるかを判断し（ステップＳＴ４）、空気調和機が運転中であれば、通常の空気調和機の運転を継続する（ステップＳＴ３）。空気調和機が停止中であれば、室内機から室外機に対し、室外機の送風ファン５のみを運転するように室外ファン運転制御手段４から指示を送る（ステップＳＴ５）。この指示に基づいて、室外機の送風ファン５の運転が行われる（ステップＳＴ６）。
【００２１】
以上のように、本実施の形態においては、侵入者に居住者が住宅内にいると思わせることができ、住宅内に侵入することを思いとどまらせることができる。
【００２２】
また、本実施の形態の空気調和機は、居住者が部屋に不在であると判断された場合、空気調和機の運転が停止中であっても、室外機の送風ファン５だけを断続運転させるようにしたことにより、消費電力をおさえつつ侵入者に居住者が住宅内にいると思わせることができ、住宅内に侵入することを思いとどまらせることができる。
【００２３】
また、本実施の形態の空気調和機は、居住者が部屋に不在である状態が一定時間連続した場合、空気調和機の運転が停止中であっても、室外機の送風ファン５だけを運転させるようにしたことにより、居住者の在、不在の誤判定による誤動作を防止することができる。
【００２４】
また、本実施の形態の空気調和機は、空気調和機の運転中は、人体検知制御手段３による人の在、不在判定結果に基づき、空気調和機の設定温度を変更するようにしたことにより、空気調和機の運転中にも人体検知制御手段３を利用して、居住者が部屋に不在時の無駄な運転を防止することができる。
【００２５】
また、本実施の形態の室外ファン運転制御手段４は、空気調和機の運転／停止や設定温度などの操作を行うためのリモコン６により、空気調和機が停止中の室外ファン制御を行うかどうかを選択できるようにしたことにより、空気調和機が停止中の室外ファン制御が不要な場合に、その機能を解除する操作を容易に行うことができ、使い勝手をよくすることができる。
【００２６】
また、本実施の形態の室外ファン運転制御手段４は、空気調和機の運転／停止の操作を行うために室内機に設けられた本体運転スイッチ７により、空気調和機が停止中の室外ファン制御を行うかどうかを選択できるようにしたことにより、空気調和機が停止中の室外ファン制御の有無を設定するための専用の操作スイッチなどを設ける必要がなくなる。
【産業上の利用可能性】
【００２７】
以上のように、本発明にかかる空気調和機の制御装置は、侵入者に居住者が住宅内にいると思わせることができ、住宅内に侵入することを思いとどまらせることができるので、防犯専用の装置を設置する必要もなく、安価に防犯機能を実現することが可能となるので、防犯対策に貢献できる空気調和機を提供することができる。
【図面の簡単な説明】
【００２８】
【図１】本発明の実施の形態１における空気調和機の制御装置の構成図
【図２】本発明の実施の形態１における動作を示すフローチャート
【符号の説明】
【００２９】
１  室内機制御装置
２  室外機制御装置
３  人体検知制御手段
４  室外ファン運転制御手段
５  室外機送風ファン
６  リモコン
７  本体運転スイッチ
８  人体検知用センサ
【図１】
2007218450.tif 000003
【図２】
2007218450.tif 000004